(57)【特許請求の範囲】
【請求項１】
上面に開口部を有して薬液が充填される収容部と、前記収容部と一体に形成されるとともに前記開口部の周縁から外周方向に延びる延設部と、前記延設部に固着して前記開口部を塞ぐとともに前記開口部上に厚み方向に一部を切断した切込線を有する蓋部と、貫通孔を有し前記蓋部の上部に配置される押さえ部材と、前記押さえ部材の上部に設けられて前記蓋部の前記切込線上に配されるとともに薬液を吸収できる吸収体とを備え、前記延設部の対向する両端が前記収容部を挟んで近づけられた際に前記蓋部の前記切込線が厚み方向に貫通して前記吸収体に薬液が吸収されることを特徴とする薬液用包装体。
【請求項２】
前記吸収体の外周よりも外側に延びて前記延設部が配されることを特徴とする請求項１に記載の薬液用包装体。
【請求項３】
前記押さえ部材が前記収容部及び前記延設部を構成する積層体より硬質材料により形成されることを特徴とする請求項１又は請求項２に記載の薬液用包装体。
【発明の詳細な説明】
【技術分野】
【０００１】
本発明は薬液を包装する薬液用包装体に関する。
【背景技術】
【０００２】
従来の薬液用の包装体が特許文献１に開示される。この包装体は脱脂綿が取り付けられた綿棒と薬液とが分離して収納されている。また、薬液が収納された薬液袋は包装体の蓋部を剥離する際に破れ得るように包装体及び蓋部に接合されている。使用の際、包装体の蓋部を剥離すると、薬液袋が破れて吸収体が収容される収容部へ流出する。吸収体が薬液を吸収した後、薬液が含浸した綿棒を包装体から取り出して患部に薬液を塗布する。これにより、薬液と綿棒とを別々に用意する必要がなく、簡単に薬液を塗布することができる。
【先行技術文献】
【特許文献】
【０００３】
【特許文献１】特開平１０−０８６９７７号公報
【発明の概要】
【発明が解決しようとする課題】
【０００４】
しかしながら、上記従来の薬液用の包装体によると、使用者は収容部を開封する作業と、脱脂綿に薬液を吸収した綿棒を取り出す作業とを行って薬液を塗布する。このため、薬剤の塗布時の作業手順が多くなる。また、薬液を塗布した後に薬液が付着する包装体と綿棒とが薬液に汚染されたゴミとして残り、ゴミを２回廃棄する必要がある。加えて、収容部の開封時に薬液が零れる場合や綿棒に吸収されずに包装体に残る薬液が零れる場合がある。従って、薬液用の包装体の利便性が悪い問題があった。
【０００５】
本発明は上記問題点に鑑み、利便性を向上できる薬液用包装体を提供することを目的とする。
【課題を解決するための手段】
【０００６】
上記目的を達成するために本発明は、薬液用の包装体であって、  上面に開口部を有して薬液が充填される収容部と、前記収容部と一体に形成されるとともに前記開口部の周縁から外周方向に延びる延設部と、前記延設部に固着して前記開口部を塞ぐとともに前記開口部上に厚み方向に一部を切断した切込線を有する蓋部と、貫通孔を有し前記蓋部の上部に配置される押さえ部材と、前記押さえ部材の上部に設けられて前記蓋部の前記切込線上に配されるとともに薬液を吸収できる吸収体とを備え、前記延設部の対向する両端が前記収容部を挟んで近づけられた際に前記蓋部の前記切込線が厚み方向に貫通して前記吸収体に薬液が吸収されることを特徴としている。
【０００７】
この構成によると、延設部の対向する両端を例えば使用者の親指と人差し指により押さえ部材の上から摘持して互いに近づけられると、蓋部が切込線を起点に開口する。これにより、収容部内の薬液が開口部から流出して切込線上に配される吸収体に吸収される。使用者は包装体を手指で摘持して吸収体により薬液を塗布する。薬液の塗布後、収容部と吸収体とが一体化されたゴミが廃棄される。
【０００８】
また本発明は、上記構成の包装体において、前記吸収体の外周よりも外側に延びて前記延設部が配されることを特徴としている。この構成によると、延設部の対向する両端が近づけられた際、及び薬液を患部に塗布する際に、延設部を摘持して作業性を高めることができる。
【０００９】
また本発明は、上記構成の包装体において、前記押さえ部材が前記収容部及び前記延設部を構成する積層体より硬質材料により形成されることを特徴としている。
【発明の効果】
【００１０】
本発明によると、薬液を充填した収容部から延びる延設部に固着される蓋部により収容部が塞がれ、蓋部に設けた切込線上に吸収体を配し、延設部の対向する両端を近づけることによって蓋部の切込線が厚み方向に貫通して蓋部が開口し、薬液が吸収体に吸収される。これにより、包装体を摘持した状態で収容部を開封して薬液を塗布することができる。また、収容部を開封する動作と薬液を塗布する動作とを一体的に連続して行うことができる。また、切込線上に吸収体が配されるため収容部が吸収体により塞がれ、薬液を零さずに包装体を使用することができる。加えて、薬液を塗布した後の包装体を収容部と吸収体とを一体にゴミとして廃棄することができる。従って、使用者の利便性を向上することができる。また、押さえ部材は硬質材料により形成され、使用者は押さえ部材の上から延設部を強い力で摘持することができる。これにより、延設部の対向する両端を近づける際、及び薬液を患部に塗布する際に、作業性を高めることができる。
【図面の簡単な説明】
【００１１】
【図１】本発明の実施形態に係る包装体の上面図
【図２】図１中のＡ−Ａ断面図
【図３】本発明の実施形態に係る蓋部又は収容部の層構成を示す概略断面図
【図４】本発明の実施形態に係る包装体の仕様状態を示す斜視図
【発明を実施するための形態】
【００１２】
以下に本発明の実施形態を図面を参照して説明する。図１は一実施形態の薬液用の包装体の上面図であり、図２は図１のＡ−Ａ断面図である。
【００１３】
包装体１は上面に開口部１０ａを有して薬液４０が充填される収容部１０と、開口部１０ａを塞ぐとともに開口部１０ａ上に切込線２１を有する蓋部２０と、貫通孔５０ａを有し蓋部２０の上部に配置される押さえ部材５０と、押さえ部材５０の上部に設けられて蓋部２０の切込線２１上に配されるとともに薬液４０を吸収する吸収体３０とで構成される。
【００１４】
薬液４０は吸収体３０に含浸させて塗布するのに適したすべての溶液を用いることができる。例えば、消毒薬、キズ薬、かゆみ止め薬を用いることができる。また、洗浄液や化粧液を用いてもよい。
【００１５】
収容部１０は開口部１０ａの周縁から外周方向に延びる延設部１３が一体に成形される。延設部１３は収容部１０の対向する位置から両側方に延びる。
【００１６】
また、蓋部２０は開口部１０ａ上に切込線２１が形成される。切込線２１は蓋部２０を厚み方向に一部切断したハーフカット状の切込みとして形成される。切込線２１の両側方が引っ張られると、蓋部２０の切込線２１が厚み方向に貫通して蓋部２０が開口するようになっている。なお、切込線２１はミシン目状に設けてもよいし、連続した切線として形成してもよい。
【００１７】
また、蓋部２０の切込線２１を含む一部に吸収体３０側に突出する突出部を設けてもよい。これにより、延設部１３の対向する両端を近づけたとき、蓋部２０を両側方に引っ張る力が突出部に集中する。したがって、突出部上の切込線２１から蓋部２０を容易に開口することができる。
【００１８】
図３は蓋部２０、収容部１０と延設部１３を構成する樹脂フィルム６０の断面図を示している。この樹脂フィルム６０は基材層６１と最内層となる熱接着性樹脂層６３とを備えている。なお、基材層６１と熱接着性樹脂層６３との間には中間層（不図示）を設けてもよい。
【００１９】
基材層６１は包装体１に高い密封性、耐突き刺し（耐ピンホール）性、品質保全性、衛生性等を付与するものである。基材層６１としては、未延伸ナイロン、非晶性ポリエステル（Ａ−ＰＥＴ）、ポリエチレンテレフタレート、ポリエチレンナフタレート等の公知の樹脂を任意に選択することができ、単層または多層にして使用することができる。
【００２０】
中間層（不図示）は、外部から収納部１０の内部に水蒸気が浸入することを防止して薬剤４０を収容部１０の内部に密封するものである。中間層としては、例えば、エチレン−ビニルアルコール共重合体、アルミニウム、ニッケルなどの金属、又は、無機化合物、例えば、酸化珪素、アルミナ等を蒸着したフィルムなどが挙げられる。
【００２１】
熱接着性樹脂層６３は熱によって溶融して対向する蓋部２０又は延設部１３と融着して熱接着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。好ましいものとしては、直鎖状低密度ポリエチレンを挙げることができる。
【００２２】
なお、蓋部２０及び延設部１３に用いられる樹脂フィルムを構成する各層の組み合わせは適宜選択することができる。例えば、蓋部２０と延設部１３とに用いられる樹脂フィルムが熱接着性樹脂層６３を有する場合、蓋部２０と延設部１３とが高い接着強度で熱接着する。このため、高い気密性を保持しながら薬剤４０を収容部１０の内部に密封することができる。また、中間層にエチレン−ビニルアルコール共重合体を介在させることにより、収容部１０の内部の気密性が高まる。
【００２３】
押さえ部材５０は蓋部２０の上部にホットメルト接着剤などの接着剤（不図示）を介して接着され、貫通孔５０ａを有する。なお、押さえ部材５０は貫通孔５０ａが切込線２１と対向するように蓋部２０上部に接着される。押さえ部材５０の上部には貫通孔５０ａを覆うとともに切込線２１上に配される吸収体３０が設けられる。吸収体３０はホットメルト接着剤（不図示）を介して押さえ部材５０に接着される。また、押さえ部材５０は硬質材料により形成される。押さえ部材５０としては、例えば、板紙、塩ビ板等のプラスチック板を使用することができる。また、押さえ部材５０の上面に印刷層を設けてもよい。
【００２４】
吸収体３０は薬液を吸収し、かつ皮膚等に塗布し得るものであれば、その材料は特に限定されない。例えば、脱脂綿、絹、ウール、レーヨン、ポリエステル、アクリル、ナイロン、ポリオレフィン等を用いることができる。また、これらを２種以上混合したものであってもよい。形状も特に限定されるものではなく、例えば、球形、円筒形、平板形等の適宜の形状とすることができる。また、吸収体３０は、繊維を巻き付けたもの、帯状の不織布をロール状に巻き付けたもの、型抜きされた一体ものや成型品であってもよい。
【００２５】
図４は包装体１の仕様状態を示す斜視図である。対向する延設部１３の両端を例えば使用者の親指と人差し指でそれぞれ摘持し、収容部１０を挟んで延設部１３の両端を近づける。これにより、蓋部２０が両側方に引っ張られ、切込線２１を起点として切込線２１が厚み方向に貫通して蓋部２０が開口し、収容部１０が開封される蓋部２０の破断によって開口部１０ａから薬液４０が流出して貫通孔５０ａを通り、切込線上２１に配される吸収体３０に吸収される。この時、収容部１０の両側方の延設部１３によって収容部１０が押圧され、薬液４０を容易に流出させることができる。
【００２６】
使用者は図４に示すように延設部１３を摘持した状態で吸収体３０により薬液４０を患部に塗布する。これにより、収容部１０を開封する動作と薬液４０を塗布する動作とを一体的に連続して行うことができる。また、切込線２１上に吸収体３０が配されるため収容部１０が吸収体３０により塞がれ、薬液４０を零さずに包装体１を使用することができる。
【００２７】
また、薬液４０を塗布した後の包装体１が収容部１０と吸収体３０とを一体にゴミとして廃棄される。
【００２８】
また、押さえ部材５０は硬質材料により形成され、使用者は押さえ部材５０の上から延設部１３を強い力で摘持することができる。これにより、延設部１３の対向する両端を近づける際、及び薬液を患部に塗布する際に、作業性を高めることができる。また、押さえ部材５０の上面に凸部を設けてもよい。これにより、凸部によって押さえ部材５０に凹凸が形成され、凸部上を摘持することによって手指を滑り止めすることができる。
【００２９】
本実施形態によると、薬液４０を充填した収容部１０から延びる延設部１３に固着される蓋部２０により収容部１０が塞がれ、蓋部２０に設けた切込線２１上に吸収体３０を配し、延設部１３の対向する両端を近づけることによって蓋部２０の切込線２１が厚み方向に貫通して蓋部２０が開口し、薬液４０が押さえ部材５０に設けられた貫通孔５０ａを通り吸収体３０に吸収される。これにより、包装体１を摘持した状態で収容部１０を開封して薬液４０を塗布することができる。これにより、収容部１０を開封する動作と薬液４０を塗布する動作とを一体的に連続して行うことができる。また、切込線２１上に吸収体３０が配されるため収容部１０が吸収体３０により塞がれ、薬液４０を零さずに包装体１を使用することができる。加えて、薬液４０を塗布した後の包装体１を収容部１０と吸収体３０とを一体にゴミとして廃棄することができる。従って、使用者の利便性を向上することができる。また、押さえ部材５０は硬質材料により形成され、使用者は押さえ部材５０の上から延設部１３を強い力で摘持することができる。これにより、延設部１３の対向する両端を近づける際、及び薬液４０を患部に塗布する際に、作業性を高めることができる。
【００３０】
また、吸収体３０の外周より外側に延設部１３が延出しているため、使用者は延設部１３の対向する両端を近接する方向に折り曲げる際、及び薬液４０を患部に塗布する際に、延設部１３を摘持して作業性を高めることができる。
【００３１】
また、押さえ部材５０が収容部１０及び延設部１３を構成する積層体より硬質材料により形成されることにより、使用者は延設部１３の対向する両端を近接する方向に折り曲げる際、及び薬液４０を患部に塗布する際に、延設部１３を摘持して作業性を高めることができる。
【産業上の利用可能性】
【００３２】
本発明は、例えば、医薬品を包装する包装体に利用可能である。
【符号の説明】
【００３３】
１                包装体
１０              収容部
１０ａ            開口部
１３              延設部
２０              蓋部
２１              切込線
３０              吸収体
６１              基材層
６３              熱接着性樹脂層
【図１】
0005842667.tif 000002
【図２】
0005842667.tif 000003
【図３】
0005842667.tif 000004
【図４】
0005842667.tif 000005